(57)【要約】【課題】放送が正常に受信できる受信状況にあるかを使用者が容易に判断できる受信状況の表示部を有するデジタル放送受信機を得る。【解決部】受信状況の判断部５ａ〜５ｅ毎に、表示部６ａ〜６ｂをそれぞれ対応して設け、判断結果だけでなく、判断途中の状態においても、これ等表示部６ａ〜６ｂの表示状態を変化させるように構成することにより、表示状態や表示領域の表示形状により、すべての受信状況判断部の状態を一度に確認できることようにする。これにより、デジタル放送受信機の受信状況が容易に判断できるようになる。【選択図】      図１
2004153481.tif 000002
【特許請求の範囲】
【請求項１】
チューナーの選局動作状態、受信信号の強度、復調器の同期状態、伝送多重方式制御信号（ＴＭＣＣ）情報及びＣ／Ｎを基に、受信状況を判断して表示するようにしたデジタル放送受信機であって、
前記チューナーの選局動作状態、前記受信信号の強度、前記復調器の同期状態、前記伝送多重方式制御信号（ＴＭＣＣ）情報、前記Ｃ／Ｎを、それぞれ取得して前記受信状況の判断動作の実行の有無、実行状態及び判断結果を表示するようにしたことを特徴とするデジタル放送受信機。
【請求項２】
前記受信状況の判断動作の実行の有無、実行状態及び判断結果の表示は、常時行うように構成されていることを特徴とする請求項１記載のデジタル放送受信機。
【請求項３】
前記チューナーの選局動作状態、前記受信信号の強度、前記復調器の同期状態、前記ＴＭＣＣ情報、前記Ｃ／Ｎを、それぞれ取得する取得手段と、
これ等各取得結果に基づき、前記選局動作状態、前記受信信号の強度、前記同期状態、前記ＴＭＣＣ情報、前記Ｃ／Ｎを、それぞれ判定する判定手段と、
これ等判定結果に応じた表示をなす表示手段と、
を含むことを特徴とする請求項１または２記載のデジタル放送受信機。
【請求項４】
前記表示手段は、前記判定結果に応じて表示状態を変更制御することを特徴とする請求項３記載のデジタル放送受信機。
【請求項５】
前記表示手段は、前記判定結果に応じて表示色を変更制御することを特徴とする請求項３または４記載のデジタル放送受信機。
【請求項６】
前記表示手段は、前記判定結果に応じて表示図形や形状を変更制御することを特徴とする請求項３〜５いずれか記載のデジタル放送受信機。
【発明の詳細な説明】
【０００１】
【発明の属する技術分野】
本発明はデジタル放送受信機に関し、特に受信状況をユーザに提示する機能を有するデジタル放送受信機に関するものである。
【０００２】
【従来の技術】
デジタル放送においては、放送の方式により、選局から実際に放送が表示開始されるまでの時間が、アナログ放送より長く必要となることが知られている。従来の技術では、使用者が、受信するチャンネルを選択した後に、選択したチャンネルの放送が受信可能な受信状況であるかどうかを知るには、正常に受信が可能であった場合は、選択したチャンネルの放送の表示が開始されるまで待ち続け、正常に受信できない場合は、使用者自身が受信機に設けられている診断機能を利用する操作を行い、特許文献１〜３等に開示されている技術によって行われた受信状況の判定結果が表示されるまで待つことになる。
【０００３】
また、その他として、特許文献４に開示されている技術のように、選局中の待ち時間の間に、選局動作中であることを示す表示を行うことにより、待ち時間の間、何も表示されれていない画面を使用者に見せるのを防ぐ技術がある。
【０００４】
【特許文献１】
特開２００１−３５９００８号公報（頁４，５、図１，２）
【特許文献２】
特開２０００−４９７２０号公報（頁３，４、図１）
【特許文献３】
特開２０００−１１５６５４号公報（頁３〜５、図１，２）
【特許文献４】
特開２００２−２４７４６６号公報（頁４，５、図１，２）
【０００５】
【発明が解決しようとする課題】
上述した従来技術の課題である第一の問題点は、デジタル放送では、使用者が受信するチャンネルを指定してから放送が表示再生されるまでに、従来のアナログ放送と比較して長い時間が必要であるが、受信機が移動先など受信状況が不明な場所で受信を行う場所、受信機のチャンネル選択後に指定したチャンネルの放送が正常に受信できる可能性の有無や大きさを知る手段がないために、使用者は、受信機が放送を表示するかなんらかの最終的なエラー表示が行われるまで、従来のアナログ放送より長い時間を、放送を受信できるか否か不明の状態のまま待たされることである。
【０００６】
その理由は、従来のデジタル放送受信機は、受信機本体とアンテナの設置場所とが固定されていることが前提となっているために、受信状況が不明な状態は受信機の設置時のみであり、一度設置作業を行った後は、正常に受信が行える受信状態であることが前提となっている。そのために、受信開始時に選択した放送が受信可能であることが通常の受信状況であるため、受信可否を判断するための受信状況を使用者に伝える必要がなくその手段を有していないためである。
【０００７】
第二の問題点は、受信機が移動しながら放送の受信を行うような受信状況が激しく変化する状況の場合、受信状況を正しく使用者に提示することができないことである。
【０００８】
その理由は、第一の問題点の理由と同じく、従来の受信機は受信場所が固定された状態で使用することが前提となっているために、受信状況の変化としては、降雨などによる放送波の減衰や一時的な外来ノイズなど、限られた条件を前提とした判定を行っての情報提示手段しか持っていないことや、受信状況の確認は、画像や音声の乱れなどの再生品質劣化が起きた場合の原因調査として利用することを想定しているため、使用者が別途指定を行って初めて診断機能が動作することになっていることと、診断機能は順次診断項目を判定していく手法となっていて、受信機が移動している場合など、受信状況が大きく変化する場合、一度問題なしと判定され、次の判定項目の判断を開始したのちに、先の診断項目が問題がある状態になる場合など、受信状況を正しく使用者に提示することができないためである。
【０００９】
本発明の目的は、装置内の受信状況判定手段が受信状況の判定結果を出す以前に、使用者が現在の受信状況において放送の受信を行える可能性について判断することを可能とするデジタル放送受信機を提供することである。
【００１０】
本発明の他の目的は、移動受信のように受信状況が大きく変化する状態が連続して起こるような場合に、使用者が受信の継続や停止などの判断を適切に行うことを助けるための情報を提供することが可能なデジタル放送受信機を提供することである。
【００１１】
【課題を解決するための手段】
本発明によるデジタル放送受信機は、チューナーの選局動作状態、受信信号の強度、復調器の同期状態、伝送多重方式制御信号（ＴＭＣＣ）情報及びＣ／Ｎを基に、受信状況を判断して表示するようにしたデジタル放送受信機であって、
前記チューナーの選局動作状態、前記受信信号の強度、前記復調器の同期状態、前記伝送多重方式制御信号（ＴＭＣＣ）情報、前記Ｃ／Ｎを、それぞれ取得して前記受信状況の判断動作の実行の有無、実行状態及び判断結果を表示するようにしたことを特徴とする。
【００１２】
そして、前記受信状況の判断動作の実行の有無、実行状態及び判断結果の表示は、常時行うように構成されていることを特徴とする。また、前記チューナーの選局動作状態、前記受信信号の強度、前記復調器の同期状態、前記ＴＭＣＣ情報、前記Ｃ／Ｎを、それぞれ取得する取得手段と、これ等各取得結果に基づき、前記選局動作状態、前記受信信号の強度、前記同期状態、前記ＴＭＣＣ情報、前記Ｃ／Ｎを、それぞれ判定する判定手段と、これ等判定結果に応じた表示をなす表示手段とを含むことを特徴とする。
【００１３】
更に、前記表示手段は、前記判定結果に応じて表示状態を変更制御することを特徴とし、また、前記判定結果に応じて表示色を変更制御することを特徴とし、また、前記判定結果に応じて表示形状を変更制御することを特徴とする。
【００１４】
本発明の作用を述べる。チューナーや復調器の内部の個々の機能の動作状態を取得して、取得結果からこれ等個々の動作状態の判定を行い、その判定結果を使用者に対して点滅や色、形状の変化等で、受信動作時は常に、視覚的に表示するものである。
【００１５】
【発明の実施の形態】
図１は本発明の第１の実施例である。１は放送を受信するアンテナ、２はアンテナ受信信号から指定された放送の周波数帯域の信号のみ取り出すチューナー、３はチューナーで取り出された信号からデジタル放送データを復調する復調器、４はチューナー２および復調器３から情報を取得する情報取得部であり、選局動作情報取得部４ａ、信号強度情報取得部４ｂ、同期情報取得部４ｃ、Ｃ／Ｎ情報取得部４ｅ、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ  ：伝送多重方式制御信号）情報取得部４ｄから構成されている。
【００１６】
５は情報取得部４により取得された情報から判定を行う判定部であり、選局動作判定部５ａ、信号強度判定部５ｂ、同期状態判定部５ｃ、Ｃ／Ｎ（Ｃａｒｒｉｅｒ／Ｎｏｉｓｅ  ）情報判定部５ｅ、ＴＭＣＣ情報判定部５ｄより構成されている。６は判定部５の判定結果を元に表示を行う表示部であり、選局動作判定表示部６ａ、信号強度判定表示部６ｂ、同期状態判定表示部６ｃ、Ｃ／Ｎ情報判定表示部６ｅ、ＴＭＣＣ情報判定表示部６ｄより構成されている。
【００１７】
図２は本発明の表示例を示す図であり、２６は表示画面全体を示しており、２７は放送の映像の表示領域を示している。また、本発明による表示領域２１〜２５があり、表示領域２１は、選局動作判定表示部６ａにより表示状態が変化する表示領域であり、表示領域２２は、信号強度判定表示部６ｂにより表示状態が変化する表示領域である。また、表示領域２３は、同期状態判定表示部６ｃにより表示状態が変化する表示領域である。更に、表示領域２４は、Ｃ／Ｎ情報判定表示部６ｅにより表示状態変化する表示領域であり、表示領域２５は、ＴＭＣＣ情報判定表示部６ｄにより表示状態が変化する表示領域である。
【００１８】
図１、図２を用いて受信開始時の動作について説明する。アンテナ１で受信された信号は、チューナー２で目的とする放送の周波数帯域の信号が取り出され、復調器３でデジタルデータに復調される。情報取得部４は常にチューナー２、復調器３の動作状態の判定に必要な情報を取得し判定部５に入力する。使用者が受信したいチャンネルを受信機に設定すると、チューナー２は設定されたチャンネルの放送の周波数帯域を取り出す動作が設定される。
【００１９】
選局動作情報部４ａはチューナー２の動作を常に監視し選局動作にかかわる情報を選局動作判定部５ａに伝える。選局動作判定部５ａは選局動作情報部４ａからの入力情報から未選局、選局中、選局完了の３状態の判定を行い、判定結果を表示部６の選局動作判定表示部６ａに伝える。選局動作判定表示部６ａは、判定結果が未選局の場合は表示領域２１を消灯状態、判定結果が選局中の場合は表示領域２１を点滅状態、判定結果が選局完了の場合は表示領域２１を点灯状態に、それぞれなるよう制御する。
【００２０】
信号強度情報取得部４ｂはチューナー内のＡＧＣ情報や復調器のＡＧＣ情報など受信している信号の強度を判定できる情報を信号強度判定部５ｂに伝える。信号強度判定部５ｂは、選局動作判定部５ａが選局動作完了判定状態になると信号強度判定を開始する。信号強度判定部は、選局動作判定部５ａが選局完了状態になるまでは信号強度判定未実行状態となり、選局動作判定部５ａが選局完了状態となると、信号強度判定中として信号強度情報取得部４ｂからの情報により信号強度が受信機で必要とする信号強度を満足しているか判定を行い、受信機で必要としている信号強度を満足していない場合は、信号強度不足、受信機で必要な信号強度を満足している場合は、信号強度判定正常の判定を行う。
【００２１】
信号強度判定部５ｂの判定状態は信号強度判定表示部６ｂに伝えられる。信号強度判定表示部６ｂは、入力される判定状態が信号強度判定未実行の場合表示領域２２を消灯状態を維持する。判定状態が信号強度判定中になると、表示領域２２を点滅状態とする。判定状態が信号強度不足と判定された場合には、表示領域２２の点滅速度を、信号強度判定中とは異なる間隔に変化させる。判定状態が信号強度正常と判定された場合には、表示領域２２を点灯状態になるよう制御する。
【００２２】
チューナー２より信号強度が正常の信号が復調器３に入力されると、復調器３は信号からデジタル放送のデータを取り出すための同期処理を行う。同期情報取得部４ｃは復調器３の同期に関する情報を取得し同期状態判定部５ｃに入力する。同期状態判定部５ｃは、信号強度判定部５ｂの判定結果が信号強度正常になるまで、同期状態判定未実行の判定を行う。信号強度判定部５ｂの判定結果が信号強度正常になると、同期状態判定部５ｃは同期判定を行う。同期状態判定部５ｃで同期が確立されたと判定した場合に、同期確立判定状態を、同期が確立されていないときは、同期処理中の判定状態を、それぞれ同期状態判定表示部６ｃに伝える。
【００２３】
同期状態判定表示部６ｃは、入力された判定内容が同期状態判定未実行であれば表示領域２３を消灯状態とし、同期処理中であれば表示領域２３を点滅状態にし、同期確立であれば表示領域２３を点灯状態になるよう制御する。
【００２４】
復調器３では、同期状態判定部５ｃが同期確立の判定状態になった後にＴＭＣＣ情報の復調が行われる。ＴＭＣＣ情報取得部４ｄは復調器３で復調されたＴＭＣＣデータの内容をＴＭＣＣ情報判定部５ｄに伝える。ＴＭＣＣ情報判定部５ｄは、同期情報判定部５ｃの判定状態が同期確立となるまでＴＭＣＣ情報無しの判定状態を維持する。同期情報判定部５の判定が同期確立になると、ＴＭＣＣ情報判定部５ｄの状態はＴＭＣＣ情報確認中になる。
【００２５】
復調器３において、ＴＭＣＣ情報が正常に復調され、ＴＭＣＣ情報取得部４ｄよりＴＭＣＣ情報が入力されると、ＴＭＣＣ情報から受信機が受信できる方式の放送があることが確認できた場合には、ＴＭＣＣ情報正常の判定状態となり、ＴＭＣＣデータから受信機が受信できる方式の放送がない場合には、ＴＭＣＣ情報エラー状態となる。
【００２６】
ＴＭＣＣ情報判定表示部６ｄは、ＴＭＣＣ情報判定部５ｄの判定状態がＴＭＣＣ情報判定未実行の場合は表示領域２４を消灯状態とし、ＴＭＣＣ情報確認中の場合は表示領域２４を点滅状態とし、ＴＭＣＣ情報正常であれば表示領域２４を点灯状態にし、ＴＭＣＣ情報エラーの状態であれば表示領域２４の点滅速度をＴＭＣＣ情報確認中の場合とは異なる速度に制御する。
【００２７】
Ｃ／Ｎ情報取得部４ｅは復調器３からＣ／Ｎ判定に必要な情報を取り出しＣ／Ｎ情報判定部５ｅに伝える。Ｃ／Ｎ情報判定部５ｅは、同期情報判定部５ｃが同期確立状態になるまではＣ／Ｎ情報判定未実行状態を維持する。同期情報判定部５ｃが同期確立状態になると、Ｃ／Ｎ情報判定部はＣ／Ｎ情報からＣ／Ｎ情報判定中、Ｃ／Ｎ正常、Ｃ／Ｎ不足の判定を行う。Ｃ／Ｎ正常判定は、Ｃ／Ｎ情報取得部により得た情報よりＣ／Ｎの値を求め求めた値が、ＴＭＣＣ情報から得られた放送方式においての受信機の所用Ｃ／Ｎ値を満足している場合に判定される。所用Ｃ／Ｎ値を満足していなかった場合には、Ｃ／Ｎ不足の判定が行われる。
【００２８】
表示部６ｅは、Ｃ／Ｎ情報判定部５ｅの判定状態がＣ／Ｎ情報判定未実行の場合は表示領域２５を消灯状態に維持し、Ｃ／Ｎ情報判定中の場合は表示領域２５を点滅状態とし、Ｃ／Ｎ正常の場合は表示領域２５を点灯状態とし、Ｃ／Ｎ不足の場合には表示領域２５をＣ／Ｎ情報判定中とは異なる速度での点滅となるよう制御する。
【００２９】
以上の手順で、表示領域２１から２５の表示状態が制御されることにより、各判定部で受信状況が受信機が正常に放送を受信できる状態と判定される毎に順番に表示領域が表示状態になり、すべての判定部が受信機が正常に放送を受信できる状態と判定した場合は、表示領域２１から２５はすべて点灯状態となる。
【００３０】
使用者は、表示領域が順番に消灯状態から点滅状態、点灯状態に変わることを確認することにより、受信状況が正常であることを知ることができる。表示領域の一部が点滅状態や消灯状態が続く場合は、放送が正常に受信できていない受信状況であることを、使用者に示すことができる。
【００３１】
次に、連続受信中の動作について説明する。情報取得部４、判定部５、表示部６の各々は、一度受信開始により判定を開始すると常に動作を行い続ける。放送が正常に受信できている場合、選局動作判定部５ａは選局完了、信号強度判定部５ｂは信号強度正常、同期状態判定部５ｃは同期確立、ＴＭＣＣ情報判定部５ｄはＴＭＣＣ情報正常、Ｃ／Ｎ情報判定部５ｅはＣ／Ｎ正常の各状態が維持されるために、図２の表示領域２１〜２５はすべて点灯状態が維持される。
【００３２】
Ｃ／Ｎの値が変化した場合の動作について説明する。受信機の所用Ｃ／Ｎを下回った場合、Ｃ／Ｎ情報判定部５ｅの判定状態がＣ／Ｎ不足に変化する。Ｃ／Ｎ情報判定表示部６ｅは判定状態がＣ／Ｎ不足になったことを受けて、表示領域２５を点滅状態に変更する。Ｃ／Ｎの値が受信機の所用Ｃ／Ｎを満足する値になった場合には、Ｃ／Ｎ情報判定部５ｅの判定状態は再びＣ／Ｎ正常となり、Ｃ／Ｎ情報判定表示部６ｅは表示領域２５を点灯状態に変更する。
【００３３】
ＴＭＣＣ情報が変化した場合の動作について説明する。ＴＭＣＣ情報取得部４ｄにより取得するＴＭＣＣ情報が変化した場合、ＴＭＣＣ情報判定部５ｄにより新たなＴＭＣＣ情報に対する判定動作が行われ判定状態が変化する。ＴＭＣＣ情報判定表示部６ｄは表示領域２４の状態を変更になった判定状態で指定される状態に制御する。
【００３４】
同様に、同期状態情報取得部４ｃ、信号強度取得部４ｂにより取得する情報が変化した場合には、同期情報判定部５ｃ、信号強度判定部５ｂの判定状態が変化し同期状態判定判定表示部６ｃにより表示領域２３の表示状態が変更され、信号強度判定表示部６ｂにより表示領域２２の表示状態が変更される。
【００３５】
本実施例では、表示領域２１から２５の表示を点灯状態、消灯状態、点滅速度が異なる複数の点滅状態として説明したが、表示色を制御することで表示する方法もある。例として、消灯状態は黒色、点灯状態は青色とし判定部が動作中を示す点滅状態は黄色として制御し、判定結果として信号強度不足やＴＭＣＣ情報エラーなどを示す点滅状態の場合は、赤色として制御する、などの表示方法もある。また、表示色と表示の点灯状態、点滅状態、消灯状態を組み合わせて表示する表示方法もある。更には、表示領域の表示図形や形状の変更制御をなす方法もある。
【００３６】
また、判断部として、復調器の内の他の受信状態を示すもの、たとえばエラーレートや受信波形の等価パラメータの状態などを追加して表示領域数を増やすことで、更に細かくすることもできる。
【００３７】
図３は発明の表示の第２の実施例を示す図である。表示画面２６に、放送表示領域２７と表示領域３１〜３５が配置されている。表示領域３１は図２での表示領域２１に相当し、同様に、表示領域３２は表示領域２２、表示領域３３は表示領域２３、表示領域３４は表示領域２４、表示領域３５は表示領域２５に、それぞれ相当する。
【００３８】
先の実施例の場合と同様に、点灯状態、点滅状態、消灯状態または表示色の制御または表示色と点灯制御により表示状態が変化する。表示領域の形状は、図２や図３に示す形状に限定される必要はなく、使用者が表示領域の表示状態により認識できる形状が異なるものであればよい。
【００３９】
【発明の効果】
本発明によれば、正常に受信が行える受信状況にある場所でチャネルを指定して受信を開始する場合、表示領域が順番に消灯状態から点滅状態を経て点灯状態となることで、使用者は正常に受信処理が行われていることを確認しながら、そのまま放送が表示されるまで待つ判断をすることができる。また、放送が正常に受信できない受信状況であった場合、どの表示領域の表示状態が点滅状態や消灯状態であるかで、放送の受信を行っている場所の受信状況が良くないのか、受信機が対応している放送が存在していないのかを、容易に判断できるためチャンネル選択を変えたり、受信を行う場所を移動するなどの判断を、素早く行うことができるようになる。
【００４０】
また、受信中にも表示が行われていることにより、現在正常に放送を受信できていても、表示領域のいずれかが点灯状態でなくなった場合には、放送が乱れることを事前に予測することが可能になることと、各表示領域の表示状態により放送が正常に受信できていない原因を即座に判断できる情報を常に使用者提供することができ、使用者はそのまま受信状態を維持していても、再び放送が受信できる状況になるか、そうでないかの判断を行うことが容易になるという効果が得られる。
【００４１】
更に、使用者が表示領域の形状や色により一瞬で受信状況を把握することができるため、使用者に対するの受信状況の視認性を向上させることができる。
【図面の簡単な説明】
【図１】本発明の一実施例のブロック図である。
【図２】本発明の一実施例における表示例を示す図である。
【図３】本発明の他の実施例における表示例を示す図である。
【符号の説明】
１  アンテナ
２  チューナー
３  復調器
４  情報取得部
５  判定部
６  表示部
４ａ  選局動作情報取得部
４ｂ  信号強度情報取得部
４ｃ  同期情報取得し部
４ｄ  ＴＭＣＣ情報取得部
４ｅ  Ｃ／Ｎ情報取得部
５ａ  選局動作判定部
５ｂ  信号強度判定部
５ｃ  同期状態判定部
５ｄ  ＴＭＣＣ情報判定部
５ｅ  Ｃ／Ｎ情報判定部
６ａ  選局動作表示部
６ｂ  信号強度判定表示部
６ｃ  同期状態判定表示部
６ｄ  ＴＭＣＣ情報判定表示部
６ｅ  Ｃ／Ｎ情報判定表示部
２１，３１  選局動作表示領域
２２，３２  信号強度判定表示領域
２３，３３  同期状態判定表示領域
２４，３４  ＴＭＣＣ情報判定表示領域
２５，３５  Ｃ／Ｎ情報判定表示領域
【図１】
2004153481.tif 000003
【図２】
2004153481.tif 000004
【図３】
2004153481.tif 000005